(57)【要約】【課題】ディーゼルエンジン及び手動変速機を備えた車両の走行状態に応じて、運転者に最適なギア段を選択させる変速機のシフト指示方法を提供することである。【解決手段】ディーゼルエンジン及び手動変速機を備えた車両の走行状態に応じて運転者に変速機のシフトを指示する方法であって、車速に応じて予め定められた基本ギア段を算出し、燃料噴射量、エンジン回転数及び車両の加速度に応じて前記基本ギア段を補正して目標ギア段を算出し、前記目標ギア段が実ギア段より高ければアップシフトを指示し、低ければダウンシフトを指示するように構成する。【選択図】図１
2006307876.tif 000002
【特許請求の範囲】
【請求項１】
ディーゼルエンジン及び手動変速機を備えた車両の走行状態に応じて運転者に変速機のシフトを指示する方法であって、
車速に応じて予め定められた基本ギア段を算出し、
燃料噴射量、エンジン回転数及び車両の加速度に応じて前記基本ギア段を補正して目標ギア段を算出し、
前記目標ギア段が実ギア段より高ければアップシフトを指示し、低ければダウンシフトを指示することを特徴とする変速機のシフト指示方法。
【請求項２】
ディーゼルエンジン及び手動変速機を備えた車両の走行状態に応じて運転者に変速機のシフトを指示する方法であって、
実ギア段及びエンジン回転数に応じて平地走行時の燃料噴射量を算出し、
実燃料噴射量を前記平地走行時の燃料噴射量で除算することにより負荷度合い係数を算出し、
前記負荷度合い係数から負荷補正係数を算出し、
車両の加速度に応じて加速補正係数を算出し、
車速に応じて予め定められた基本ギア段を算出し、
前記基本ギア段に前記負荷補正係数及び加速補正係数を乗算することにより目標ギア段を算出し、
前記目標ギア段が実ギア段より高ければアップシフトを指示し、低ければダウンシフトを指示することを特徴とする変速機のシフト指示方法。
【発明の詳細な説明】
【技術分野】
【０００１】
本発明は、ディーゼルエンジン及び手動変速機を備えた車両における変速機のシフト指示方法に関する。
【背景技術】
【０００２】
手動変速機を備える自動車の走行において、運転者に自車の燃費の良否に係る情報が与えられていない場合には、一般に運転者は自己の経験による運転感覚で車速に応じて適宜に変速機の変速シフトを行い且つアクセルペダルを操作するため、運転者にとって燃費を最小にするという最適燃費の状態で走行することはなかなか困難である。
【０００３】
現在自動車の経済性を高める観点及びCO２低減を図る目的で、常に良好な燃費状態による走行が要望されるが、これを実現するためには、走行中常に運転者に対しその走行状態が最適な燃費状態にあるか否かを知らせ得るようにし、且つ燃費が悪い状態にある時には変速機のギア段のシフトを行うように運転者に指示することが必要とされる。
【０００４】
このようにして運転者に対し燃費の良否に係る情報及びこの情報に基づく変速シフトの指示が与えられれば、運転者は係る指示に従って良好な燃費状態を保持すべく自動車を運転することになるであろう。
【０００５】
よって、従来からガソリンエンジン及び手動変速機を備える自動車において、自動車の車速、給気管負圧、エンジン回転数等に応じて予め設定値を与えて各変速段毎に燃費の良好な走行条件の領域を定め、運転者が所定の変速段を選択して走行した時にその燃費状態が上記領域より外れた場合、これを点灯表示により運転者に知らせ且つその点灯表示によって変速段のシフトアップ又はシフトダウンを促すようにした変速機のシフト指示方法が幾つか提案され、実用化されている。
【特許文献１】特開昭６３−２３４１４号公報
【特許文献２】特開平５−２７７９０号公報
【特許文献３】特開昭６２−２９２５４号公報
【特許文献４】特開平１−３８０１３号公報
【特許文献５】特開平５−２７７８８号公報
【特許文献６】特開平５−４１８６７号公報
【発明の開示】
【発明が解決しようとする課題】
【０００６】
上述した各特許文献で提案されている従来の変速機のシフト指示方法は、全てガソリンエンジンを搭載した車両の変速機のシフト指示方法であり、ディーゼルエンジンを搭載した車両についてのシフト指示方法は提案されていない。
【０００７】
本発明はこのような点に鑑みてなされたものであり、その目的とするところは、ディーゼルエンジン及び手動変速機を備えた車両の運転状態を判断し、運転者へ最適なギア段を選択させる変速機のシフト指示方法を提供することである。
【課題を解決するための手段】
【０００８】
請求項１記載の発明によると、ディーゼルエンジン及び手動変速機を備えた車両の走行状態に応じて運転者に変速機のシフトを指示する方法であって、車速に応じて予め定められた基本ギア段を算出し、燃料噴射量、エンジン回転数及び車両の加速度に応じて前記基本ギア段を補正して目標ギア段を算出し、前記目標ギア段が実ギア段より高ければアップシフトを指示し、低ければダウンシフトを指示することを特徴とする変速機のシフト指示方法が提供される。
【０００９】
請求項２記載の発明によると、ディーゼルエンジン及び手動変速機を備えた車両の走行状態に応じて運転者に変速機のシフトを指示する方法であって、実ギア段及びエンジン回転数に応じて平地走行時の燃料噴射量を算出し、実燃料噴射量を前記平地走行時の燃料噴射量で除算することにより負荷度合い係数を算出し、前記負荷度合い係数から負荷補正係数を算出し、車両の加速度に応じて加速補正係数を算出し、車速に応じて予め定められた基本ギア段を算出し、前記基本ギア段に前記負荷補正係数及び加速補正係数を乗算することにより目標ギア段を算出し、前記目標ギア段が実ギア段より高ければアップシフトを指示し、低ければダウンシフトを指示することを特徴とする変速機のシフト指示方法が提供される。
【発明の効果】
【００１０】
請求項１記載の発明によると、ディーゼルエンジンの負荷は燃料噴射量に概略比例することに鑑み、燃料噴射量、エンジン回転数及び車両の加速度に応じて基本ギア段を補正して目標ギア段を算出することにより、運転者に最も燃費性能の良い最適なギア段を指示することが可能となる。
【００１１】
請求項２記載の発明によると、基本ギア段を補正して目標ギア段を算出する複数のステップを含んでおり、請求項１記載の発明と同様な効果を達成することができる。
【発明を実施するための最良の形態】
【００１２】
図１を参照して、本発明実施形態の目標ギア段算出方法について説明する。ディーゼル・パーティキュレイト・フィルター（ＤＰＦ）再生中でない通常の走行時には、図２に示すような第１マップ２により車速に応じた基本ギア段が予め設定されている。
【００１３】
一方、ＤＰＦ再生中には、図３に示す第２マップ４により車速に応じた基本ギア段が予め設定されている。図３に示すＤＰＦ再生時の第２マップ４は、図２に示す通常走行時の第１マップ２に比較して変速段の切り換えを低車速側にある所定量移動したものである。
【００１４】
これにより、アップシフトを早めに促し、排気ガスを高温にしてＤＰＦに捕集された粒子状物質（ＰＭ）を燃焼させ、ＤＰＦの再生を促すものである。
【００１５】
図４を参照すると、ディーゼルエンジンにおける負荷の違いによる温度分布が示されている。横軸にエンジン回転数をとり、縦軸には燃料噴射量及び排気ガスの温度がとられている。
【００１６】
ディーゼルエンジンにおいては、エンジンの負荷は燃料噴射量に概略比例することが知られている。よって、各変速段において燃料噴射量を増大すると、エンジン回転数が増加し、排気ガスの温度は上昇する。また、同一燃料噴射量では低速段よりも高速段の方が排気ガスの温度が高いことが理解される。
【００１７】
よって、ＤＰＦに捕集された粒子状物質（ＰＭ）を燃焼させてＤＰＦを再生するためには、なるべく高い変速段で車両を運転することが望ましい。この知見に鑑みて、図３に示すＤＰＦ再生時の第２マップでは、通常走行時よりも低い車速で基本ギア段がアップシフトするように設定されている。
【００１８】
再び図１を参照すると、ＤＰＦステータスに応じて、スイッチ６は第１マップ２と第２マップ４を切り換えて、車速に応じた基本ギア段を算出する。即ち、ＤＰＦが再生中でない通常走行時には、第１マップ２を選択して車速に応じた基本ギア段を算出し、ＤＰＦ再生中の場合には、第２マップ４を選択して車速に応じた基本ギア段を算出する。
【００１９】
一方、現在走行している実ギア段とエンジン回転数に基づいて、図５に示す第３マップ８から平地走行時負荷（Ｒ／Ｌ）での燃料噴射量、即ちＲ／Ｌ噴射量を算出する。そして、除算器１０で現在実際噴射している実噴射量をＲ／Ｌ噴射量で除算することにより、負荷度合い係数を求める。この負荷度合い係数から、図６に示す第４マップ１２を参照して、負荷補正係数を算出する。
【００２０】
更に、車両の加速度に応じて、図７に示す第５マップ１４により加速補正係数を算出する。乗算器１６により負荷補正係数と加速補正係数を掛けて最終負荷補正係数を求める。最後に、乗算器１８で第１マップ２又は第２マップ４により算出した基本ギア段に最終負荷補正係数を掛け、目標ギア段（補正後ギア段）を算出する。
【００２１】
このようにして求めた目標ギア段が現在走行中の実ギア段よりも高ければ、インストルメントパネルに設けられた上向きのシフトインジケータランプ（ＳＩＬ）を点灯してアップシフトをするように運転者に指示し、低ければ下向きのＳＩＬを点灯してダウンシフトをするように運転者に指示する。このＳＩＬの点灯指示に基づき運転者がアップシフト又はダウンシフトすることにより、燃費の向上を図ることができる。
【００２２】
次に、図８乃至図１１のフローチャートを参照して、本発明実施形態の変速機のシフト指示方法について更に説明する。まず、図８のメインルーチンのステップＳ１０において、負荷補正係数を算出する。この負荷補正係数は図９に示すサブルーチン１を実行することにより算出される。
【００２３】
図９に示すサブルーチン１のステップ２０において、まずＲ／Ｌ噴射量を算出する。即ち、実ギア段及びエンジン回転数に応じて図５に示した第３マップからＲ／Ｌ噴射量を算出する。
【００２４】
次いで、ステップ２１で負荷度合い係数を算出する。即ち、実噴射量をＲ／Ｌ噴射量で割ることにより、負荷度合い係数を算出する。次いでステップ２２に進んで図６に示した第４マップから負荷補正係数を算出する。
【００２５】
このようにサブルーチン１を実行して負荷補正係数を算出した後、メインルーチンのステップＳ１１で図７に示す第５マップから加速度に応じた加速補正係数を算出する。次いで、ステップＳ１２に進んで図１０に示すサブルーチン２を実行することにより基本ギア段を算出する。
【００２６】
図１０に示すサブルーチン２のステップＳ３０において、ＤＰＦ再生ステータス＝１か否か、即ちＤＰＦが再生中か否かを判定する。ＤＰＦは排気管中に設けられており、このＤＰＦで捕集する粒子状物質（ＰＭ）の堆積量は図１１のフローチャートにより常時算出されている。
【００２７】
即ち、図１１のフローチャートのステップＳ４０において、燃料噴射量、エンジン回転数、エンジン水温等の条件によりシミュレーションして、常時ＤＰＦに堆積されるＰＭの量を算出する。
【００２８】
ステップＳ４１において、ＰＭ堆積量が所定値、例えば１０グラム以下であればステップＳ４２に進んでＤＰＦ再生ステータスを０にし、通常制御を実施する。一方、ステップＳ４１でＰＭの堆積量が所定値、例えば１０グラムよりも多ければステップＳ４３に進んでＤＰＦ再生ステータスを１にし、ＤＰＦ再生制御を実施する。
【００２９】
図１０のステップＳ３０において、ＤＰＦ再生ステータス＝０と判定された場合には、ステップＳ３１へ進んで図２に示す第１マップから車速に応じた通常走行時の基本ギア段を算出する。
【００３０】
一方、ステップＳ３０において、ＤＰＦ再生ステータス＝１と判定された場合には、ステップＳ３２へ進んで図３に示す第２マップによりＤＰＦ再生中の車速に応じた基本ギア段を算出する。
【００３１】
即ち、ステップＳ３０でＤＰＦ再生中と判定された場合には、車速に応じた基本ギア段が設定された通常走行時の第１のマップから車速に応じた基本ギア段が低速側にずらされた第２のマップに切り換えて、この第２のマップに基づき車速に応じた基本ギア段を算出する。
【００３２】
メインルーチンのステップＳ１２でサブルーチン２を実行して通常走行時又はＤＰＦ再生時の基本ギア段を算出した後、ステップＳ１３へ進んで基本ギア段に負荷補正係数及び加速補正係数を掛けることにより、目標ギア段（補正後ギア段）を算出する。
【００３３】
図１２を参照すると、通常走行時のＳＩＬ作動チャートが示されている。直線１９より左側が緩加速時のＳＩＬ作動チャートであり、右側が急加速時のＳＩＬ作動チャートである。
【００３４】
図１２から明らかなように、矢印２０で示すように補正後ギア段（目標ギア段）と実ギア段との間に偏差があると、ＳＩＬ点灯ステータスがオンとなり、ＳＩＬが点灯して運転者にシフトアップを促すことになる。
【００３５】
緩加速の場合、補正量は少なくシフトアップタイミングもほぼ基本ギア段通りに行われる。一方、急加速の場合には、上述した負荷補正及び加速補正によりシフトアップタイミングが大幅に遅らされる。
【００３６】
一方、特に図示しないがＤＰＦ再生時のＳＩＬ作動チャートでは、第２マップ４に基づき基本ギア段が低車速側でアップシフトするように設定されているため、燃費性能を多少犠牲にしてアップシフトを早めに促し、排気ガスを高温にしてＤＰＦに捕集された粒子状物質（ＰＭ）を燃焼させ、ＤＰＦの早期の再生を促すことができる。
【００３７】
図１３はＳＩＬ（シフトインジケータランプ）３０を有するインストルメントパネル２４の一例を示している。インストルメントパネル２４には速度メータ２６と回転数メータ２８が配置されており、回転数メータ２８中にＳＩＬ３０が設けられている。
【００３８】
ＳＩＬ３０は上向きランプ３２と下向きランプ３４とを有しており、上向きランプ３２が点灯された場合には運転者にシフトアップを促し、下向きランプ３４が点灯された場合には運転者にシフトダウンを促すようになっている。
【００３９】
よって、運転者はＳＩＬ３０の指示に従ってシフトアップ、シフトダウンをすることにより、燃費を向上することができる。
【図面の簡単な説明】
【００４０】
【図１】本発明実施形態に係る変速機のシフト指示方法を説明するための図である。
【図２】通常走行時の車速に応じた基本ギア段を算出するためのマップである。
【図３】ＤＰＦ再生時の車速に応じた基本ギア段を算出するためのマップである。
【図４】変速段に応じた燃料噴射量と排気ガスの温度との関係を示す図である。
【図５】ギア段毎のエンジン回転数とＲ／Ｌ噴射量との関係を示すマップである。
【図６】変速段に応じた負荷度合い係数と負荷補正係数との関係を示すマップである。
【図７】加速度の程度と加速補正係数との関係を示すマップである。
【図８】メインルーチンのフローチャートである。
【図９】サブルーチン１のフローチャートである。
【図１０】サブルーチン２のフローチャートである。
【図１１】ＰＭ堆積量算出フローチャートである。
【図１２】通常走行時のＳＩＬ作動チャートである。
【図１３】ＳＩＬを有するインストルメントパネルの一例を示す図である。
【符号の説明】
【００４１】
２  第１マップ
４  第２マップ
６  スイッチ
８  第３マップ
１０  除算器
１２  第４マップ
１４  第５マップ
１６，１８  乗算器
２０  偏差
３０  ＳＩＬ
【図１】
2006307876.tif 000003
【図２】
2006307876.tif 000004
【図３】
2006307876.tif 000005
【図４】
2006307876.tif 000006
【図５】
2006307876.tif 000007
【図６】
2006307876.tif 000008
【図７】
2006307876.tif 000009
【図８】
2006307876.tif 000010
【図９】
2006307876.tif 000011
【図１０】
2006307876.tif 000012
【図１１】
2006307876.tif 000013
【図１２】
2006307876.tif 000014
【図１３】
2006307876.tif 000015